(57)【要約】【課題】ネットワーク端末機器と情報処理装置がネットワーク網を介して接続されたネットワーク機器システムにおいて、例えば、情報処理装置において、各種情報の一元設定やネットワーク端末機器の増設時などの場合における全体管理の簡単化を可能とする。【解決手段】前記情報処理装置では、表示手段が当該ネットワーク機器システムの状態を表示し、受付手段が当該ネットワーク機器システムに含まれるネットワーク端末機器について設定情報を受け付け、設定手段が前記受付手段により受け付けられた設定情報に基づいて関連するネットワーク端末機器について設定を行う。【選択図】  図１
2010028604.tif 000002
【特許請求の範囲】
【請求項１】
情報を送信するものと受信するものとの対応が定められた複数のネットワーク機器と、情報処理装置とがネットワーク網を介して接続されたネットワークシステムにおいて、
前記情報処理装置は、当該複数のネットワーク機器の個々の設定情報に基づいて、当該ネットワークシステムの状態を表示する表示手段と、
当該ネットワークシステムに含まれるネットワーク機器について設定情報を受け付ける受付手段と、
前記受付手段により受け付けられた設定情報に基づいて関連するネットワーク機器について設定を行う設定手段と、
を備えたことを特徴とするネットワークシステム。
【請求項２】
請求項１に記載のネットワークシステムにおいて、
前記情報処理装置は、当該ネットワークシステムに含まれるＩＰアドレスが重複している２つ以上のネットワーク機器或いは当該ネットワークシステムに含まれるアクセスが不能なネットワーク機器の少なくとも一方を検出する検出手段と、
前記検出手段により検出されたネットワーク機器に対してネットワーク上に存在しないアクセス可能でユニークなＩＰアドレスを割り当てる割当手段と、
を備えたことを特徴とするネットワークシステム。
【発明の詳細な説明】
【技術分野】
【０００１】
本発明は、ネットワーク端末機器に必要な各種情報の設定に関し、例えば、パーソナルコンピュータ（ＰＣ）等において、各種情報の一元設定やネットワーク端末機器の増設時などの場合における全体管理の簡単化を可能とするネットワークシステムに関する。
【背景技術】
【０００２】
図７には、従来例として、ネットワーク型映像監視システムの構成例を示してある。本例のネットワーク型映像監視システムは、３台のネットワーク端末機器１０１、１０２、１０３と、監理ＰＣ１０４と、ネットワーク網１０５から構成されている。
図８には、各ネットワーク端末機器１０１〜１０３の設定方法例を示してある。
【０００３】
ネットワーク型映像監視システムは、現地に設置する前に図８に示されるように、監理ＰＣ１０４を各ネットワーク端末機器１０１〜１０３毎に接続し、各々のネットワーク端末機器１０１〜１０３毎に各種設定を行うとともに、管理やネットワーク通信を行う為の各種の情報（例えば、ＩＰ（Ｉｎｔｅｒｎｅｔ  Ｐｒｏｔｏｃｏｌ）アドレス、画像圧縮方式、画像の記録方式、データ配信及び配信量などの情報）１１１〜１１３を監理ＰＣ１０４に登録する。
【０００４】
その後、図７に示されるように、ネットワーク端末機器１０１〜１０３をネットワーク網１０５を介して監理ＰＣ１０４に接続することで、システムが稼動する。そして、各ネットワーク端末機器１０１〜１０３からの画像データが監理ＰＣ１０４に配信され、監理ＰＣ１０４では、各ネットワーク端末機器１０１〜１０３における各種の映像の閲覧を行うことができる。
【０００５】
【特許文献１】特開２００７−３１６８６３号公報
【特許文献２】特開２００７−０４３３９０号公報
【特許文献３】特開２００６−３０４２８３号公報
【発明の開示】
【発明が解決しようとする課題】
【０００６】
ここで、複数のネットワーク端末機器１０１〜１０３をネットワークシステム上で管理する場合、各ネットワーク端末機器１０１〜１０３のＩＰアドレスはユニークなものでなければならない。
しかしながら、従来のネットワーク端末機器１０１〜１０３についての設定方法では、ＩＰアドレスが重複する場合には、特に生産時には同一機種には一律のＩＰアドレスが初期設定されているため、機器をネットワーク上から独立させて設定を行う必要があった。ＩＰアドレスがユニークな場合においても、増設も含め全ての機器を網羅的に把握するのが困難になる。いずれにしても、機器毎に固有の設定が必要であることから、例えば単に２つのＩＰアドレスを入れ替えたいだけの場合であっても各端末に接続して各種の情報の変更を行う必要があった。
こうしたことから、ネットワーク端末機器の台数が非常に多くなるとシステム全体のＩＰアドレス情報やネットワーク端末機器１０１〜１０３の各種情報の管理が困難になるという問題があった。
【０００７】
本発明は、このような従来の事情に鑑み為されたもので、例えば、監理ＰＣにおいて、各種情報の一元設定やネットワーク端末機器の増設時などの場合における全体管理の簡単化を可能とすることができるネットワークシステムを提供することを目的とする。
【課題を解決するための手段】
【０００８】
上記目的を達成するため、本発明では、情報を送信するものと受信するものとの対応が定められた複数のネットワーク機器と、情報処理装置とがネットワーク網を介して接続されたネットワークシステムにおいて、次のような構成とした。
すなわち、前記情報処理装置では、表示手段が、当該複数のネットワーク機器の個々の設定情報に基づいて、当該ネットワーク機器の状態を表示する。受付手段が、当該ネットワークシステムに含まれるネットワーク機器について設定情報を受け付ける。設定手段が、前記受付手段により受け付けられた設定情報に基づいて、関連するネットワーク機器について設定を行う。
【０００９】
従って、情報処理装置が、ネットワークシステムの状態を画面に表示し、受け付けた設定情報に基づいて、関連するネットワーク機器（例えば、実際のネットワーク機器）について設定を行うことにより、例えば、情報処理装置（例えば、監理ＰＣ）において、各種情報の一元設定やネットワーク機器の増設時などの場合における全体管理の簡単化を可能とすることができる。
【００１０】
ここで、ネットワークシステムの構成としては、種々なものが用いられてもよい。
また、ネットワーク機器としては、種々なものが用いられてもよく、例えば、カメラ、エンコーダ、デコーダ、記憶装置、サーバ装置などを用いることが可能である。
また、情報処理装置としては、種々なものが用いられてもよく、例えば、コンピュータなどを用いることができる。
また、ネットワークとしては、種々なものが用いられてもよく、例えば、有線ネットワークや、無線ネットワークを用いることができる。
【００１１】
また、ネットワークシステムの状態を表示する態様としては、種々なものが用いられてもよく、例えば、システムの全体構成の接続状態を表示する態様や、更にトラフィックの状態を表示する態様などを用いることができる。また、各機器や情報処理装置やネットワーク網や接続ケーブルなどをアイコンなどのシンボルで表示することもできる。また、情報処理装置がネットワークシステムを常に監視して、機器などの新規追加や削除を（自動的に）表示内容に反映させるようなことも可能である。
【００１２】
また、ネットワーク機器の設定情報としては、種々なものが用いられてもよく、例えば、インターネットプロトコル（ＩＰ）アドレスなどの情報を用いることができる。
また、設定情報の受け付けは、例えば、ユーザ（人）が情報処理装置の操作部（例えば、マウスやキーボード等）を操作することに応じて行われる。
また、設定情報の受け付けとしては、例えば、新規に受け付けられてもよく、或いは、既に設定されている設定情報を変更する受け付けが行われてもよい。
また、各ネットワーク機器についての設定情報を画面に（例えば、一覧で）表示することや、各ネットワーク機器のシンボルとその設定情報とを対応付けて画面に表示することや、その表示画面において設定情報を受け付けることなどを行うこともできる。
【００１３】
また、受け付けられた設定情報に基づいて設定を行う対象となる、関連するネットワーク機器としては、例えば、その設定情報の直接的な対象となるネットワーク機器があり、更に、当該ネットワーク機器が他のネットワーク機器と通信しているような場合において、当該他のネットワーク機器についても設定情報の変更などが必要な場合には、当該他のネットワーク機器がある。
【００１４】
本発明に係るネットワークシステムでは、一構成例として、次のような構成とした。
すなわち、前記情報処理装置では、検出手段が、当該ネットワークシステムに含まれるＩＰアドレスが重複している２つ以上のネットワーク機器、或いは、当該ネットワークシステムに含まれるアクセスが不能なネットワーク機器、の少なくとも一方（つまり、一方又は両方）を検出する。割当手段が、前記検出手段により検出されたネットワーク機器に対して、ネットワーク上に存在しないアクセス可能でユニークなＩＰアドレスを割り当てる。
【００１５】
従って、ＩＰアドレスが重複しているネットワーク機器や、アクセスが不能なネットワーク機器に対して、情報処理装置により（自動的に）適正なＩＰアドレスが割り当てられるため、例えば、システム内に不正なＩＰアドレスが存在したような場合に、それに対処することができる。
【発明の効果】
【００１６】
以上説明したように、本発明に係るネットワークシステムによると、例えば、情報処理装置において、各種情報の一元設定やネットワーク端末機器の増設時などの場合における全体管理の簡単化を可能とすることができる。
【発明を実施するための最良の形態】
【００１７】
本発明に係る実施例を図面を参照して説明する。
図１には、本発明の一実施例に係るネットワークシステムに備えられた監理ＰＣの画面上に表示される図の一例を示してある。
本例の画面上には、グラフィカル表示部１、設定一覧表２、グラフィカル表示部１と各種設定を対応付けする機器アイコン３が表示される。
【００１８】
最初に、ネットワークシステムのシンボル（アイコン）化について説明する。
図２には、グラフィカル表示部１の詳細な表示例を示してある。本例では、図７に示される従来例と同様なシステム構成である場合について示してある。
【００１９】
ネットワーク端末機器（カメラ）１０１に対応したアイコン（カメラ）１１は、描画結線１５、ネットワークアイコン１９、描画結線１８を介してＰＣ（ビュアー）アイコン１４に接続する。
同様に、ネットワーク端末機器（エンコーダ）１０２に対応したアイコン１２は、描画結線１６、ネットワークアイコン１９、描画結線１８を介してＰＣアイコン１４に接続する。
同様に、ネットワーク端末機器（デコーダ）１０３に対応したアイコン１３は、描画結線１７、ネットワークアイコン１９、描画結線１８を介してＰＣアイコン１４に接続する。
【００２０】
ここで、監理ＰＣ（図示しない）は、随時、ネットワークシステム上を監視し、新たなネットワーク端末機器が接続されたことを検出した場合には、その機器の設定情報をできるだけ取得し、設定一覧表２を更新すると共に、グラフィカル表示部１上に、例えばネットワークアイコン１９の周囲にアイコンを追加し、描画結線でアイコンとネットワークアイコン１９とを接続する。
これにより、監理ＰＣとネットワーク端末機器がネットワーク上に物理的に接続されていることを明示的に表し、後述する本実施例に係る構成や動作の実現を容易にする。
【００２１】
次に、監理ＰＣの画面上図を参照して、設定情報の一元管理について説明する。
シンボル化されたネットワーク端末機器の設定情報は、設定一覧表２として記憶されると共に一括管理される。本例では、設定情報として、機器名称、ＭＡＣアドレス、ＩＰアドレス、サブネットマスク、画像圧縮方式及び接続先（相手機器）ＩＰアドレスなどの情報が管理される。ただしＭＡＣアドレスは基本的に変更不能であり、機器の設置時に控えておき、以後、機器を特定するためのキー情報とする。
また、設定一覧表２の中または横（本例では、図１における左側）には、グラフィカル表示部１上に追加されたアイコンと同じアイコン３を表示して、いずれのネットワーク端末機器がどのような設定情報になっているかの対応付けの把握を容易にしている。
【００２２】
グラフィカル表示部１のアイコン、又は設定一覧表２の対象機器列、又は設定一覧表２にあるアイコン３がユーザ（人）の操作によりマウス／カーソル等で選択されると、これに応じて監理ＰＣは、選択された機器をハイライト表示すると共に、ユーザからの設定変更または新規追加の操作を受け付けて、変更があったときは、実際のネットワーク端末機器にアクセスして、（例えば、ユーザが画面上で指定した設定の変更内容に合わせるように）設定の変更を行う。また設定一覧表２の接続先ＩＰアドレスに、当該変更した（変更前の）ＩＰアドレスが無いか検索し、変更対象となった設定情報に依存している他のネットワーク端末機器の設定情報についても、同時に変更が行われる。変更が完了したら、設定一覧表２も更新する。
【００２３】
一例として、図７に示されるネットワークシステムにおいて、ネットワーク端末機器（デコーダ）１０３がネットワーク端末機器（エンコーダ）１０２にアクセスしている状態で、ネットワーク端末機器１０２のＩＰアドレスを変更した時には、ネットワーク端末機器１０３に接続先として設定されているネットワーク端末機器１０２のＩＰアドレス情報についても同時に変更して、アクセスが継続されるようにする。設定情報の（ネットワーク端末機器からの）取得や変更には、公知のＤＨＣＰ、ＰＰＴＰや、ルータ越えが可能なＩＰベースの（認証機能付きの）独自プロトコルが適宜用いられる。
【００２４】
次に、自動ＩＰ割り当て機能について説明する。
図３には、不正なＩＰアドレスがあった時におけるグラフィカル表示部１の表示例を示してある。
図４には、不正なＩＰアドレスがあった時における設定一覧表２の表示例を示してある。
【００２５】
本例では、ネットワーク端末機器のＩＰアドレスが重複している時、又は監理ＰＣからネットワーク端末機器へのアクセスが不能な時に、例えば監理ＰＣはグラフィカル表示部１に表示される対象アイコン２１ａ、２１ｂ、２１ｃ、及び、設定一覧表２の表示部に表示される対象機器列３１について、色や模様などを変化させるなどして強調表示を行うことで、不正なＩＰアドレスであることを明示する。
【００２６】
そして、これらの機器に対しては、監理ＰＣが、利用可能な既定の範囲内のＩＰアドレスであってネットワーク上に存在しないユニークなＩＰアドレスを（ＡＲＰテーブル等から）検索して、自動的に対象機器に割り当てる。
図５には、図３に示される状態において、対象機器２１ａ〜２１ｃに対して、自動的にＩＰアドレスを割り当てた結果の一例を示してある。
検索方法としては、新しい接続機器の検出同様ｐｉｎｇパケットを送信して、それに対する応答の有無で判断してもよい。
【００２７】
次に、ネットワークトラフィックの表示機能について説明する。
図６には、データ転送状態強調図の一例を示してある。
本例では、監理ＰＣが、グラフィカル表示部１において、データ転送状態強調表示の対象機器のアイコン（シンボル）４１〜４３を点滅させる等してそのアイコンを目立たせて、データ転送状態の強調表示非対象機器のアイコン（シンボル）４４、４５の色を薄くさせる等してそのアイコンを目立たなくさせて、データ転送状態強調表示対象機器のアイコン４１〜４３の間をネットワークトラフィック描画矢印４６で結んでデータの転送方向を示すことで、いずれの機器からいずれの機器へデータが転送されているかという状態を強調表示させる。強調表示の対象機器は、ユーザによるアイコン等への操作により選択される。
【００２８】
これにより、例えば、ネットワークカメラにより取得された映像をいずれの機器で視ているかということや、或いは、一つの機器にネットワークアクセスが集中していないかということ、などを視覚的に容易に捉えることが可能になる。
【００２９】
以上のように、本例では、画像の伝送や記録などを行うネットワーク端末機器と、各ネットワーク端末機器の制御や画像表示などを行う監理パーソナルコンピュータ（ＰＣ）を備えて構成されたネットワークシステムにおいて、ＩＰアドレスを意識せずに、アイコンの操作により、各種設定を監理ＰＣの画面を介して行うことができる。
また、本例では、監理ＰＣの画面において、各ネットワーク端末機器や監理ＰＣをシンボル化して表示し、各ネットワーク端末機器間や監理ＰＣがネットワーク越しに接続されていることを明示的に表す。
【００３０】
また、本例では、監理ＰＣの画面において、各ネットワーク端末機器の設定情報を一元管理し、前記したシンボルとの関連付けを行う。
また、本例では、前記したシンボルに関して、監理ＰＣの画面上でシンボルをＰＣのマウスやカーソルなどで選択することで、そのシンボルに対応した実際のネットワーク端末機器の設定が行われ、また、その設定に依存している他のネットワーク端末機器の設定情報が自動的に変更される。
【００３１】
また、本例では、ネットワーク端末機器のＩＰアドレスが重複していた場合や、通信が不可能な値に設定されていた場合に、当該ネットワーク端末機器に対して、自動的に、ユニークで接続可能なＩＰアドレスを割り当てる。
また、本例では、前記したグラフィカル表示部上において、ネットワークトラフィックを表示する。
【００３２】
具体例として、本例の監理ＰＣでは、当該監理ＰＣの画面上において、各ネットワーク端末機器を含めたネットワークシステム全体をシンボル化して表示するグラフィカル表示部１と、各ネットワーク端末機器の設定情報を表示する設定一覧表２の表示部を有する。これにより、ネットワークシステムの全体について図柄表現で一元管理を行い、各ネットワーク端末機器へのアクセスを容易にする。
【００３３】
また、本例の監理ＰＣでは、各ネットワーク端末機器の各種設定情報についても当該監理ＰＣの画面上で一元管理を行い、各シンボルが選択されることで、それに対応付けられているネットワーク端末機器の各種設定情報の変更を行うとともに、このように設定情報の変更を行ったときに、変更対象となった設定情報に依存している他のネットワーク端末機器の設定情報についても同時に変更を行う。
【００３４】
従って、本例では、ネットワークシステムを構成する監理ＰＣにおいて、各種情報の一元設定や、ネットワーク端末機器の増設時などの場合における全体管理の簡単化を可能にすることができる。具体的には、例えば、ネットワークシステムにおける各ネットワーク端末機器の追加や設定変更を容易に行うことができ、システム全体を監理ＰＣの表示画面でユーザにより視覚的に捉えることが容易に可能であり、システム管理が簡単化される。
【００３５】
なお、本例のネットワークシステム（例えば、図７に示されるようなシステム）では、監理ＰＣ（情報処理装置の一例）において、図１に示されるような画面のグラフィカル表示部１に、シンボルを用いてシステムの構成などの状態（例えば、図２に示されるようなものや、図６に示されるようなもの）を表示する機能により表示手段が構成されており、例えば設定一覧表２に表示されるような設定情報の受け付けをユーザから行う機能により受付手段が構成されており、受け付けられた設定情報に基づいてそれに関連する実際のネットワーク端末機器へアクセスしてその設定情報を新規設定又は変更などする機能により設定手段が構成されている。
また、本例のネットワークシステムでは、監理ＰＣ（情報処理装置の一例）において、図３〜図５に示されるように、ＩＰアドレスが重複しているネットワーク端末機器や、アクセスが不能なネットワーク端末機器を検出する機能により検出手段が構成されており、検出されたネットワーク端末機器に対してＩＰアドレスを割り当てる機能により割当手段が構成されている。
【図面の簡単な説明】
【００３６】
【図１】本発明の一実施例に係る監理ＰＣの画面上図の一例を示す図である。
【図２】グラフィカル表示部の詳細な表示例を示す図である。
【図３】不正なＩＰアドレスがあった時におけるグラフィカル表示部の表示例を示す図である。
【図４】不正なＩＰアドレスがあった時における設定一覧表の表示例を示す図である。
【図５】自動ＩＰアドレス割り当て結果の一例を示す図である。
【図６】データ転送状態強調図の一例を示す図である。
【図７】ネットワーク型映像監視システムの構成例を示す図である。
【図８】各ネットワーク端末機器の設定方法例を示す図である。
【符号の説明】
【００３７】
１・・グラフィカル表示部、  ２・・設定一覧表、  ３・・機器アイコン、  １１〜１３・・アイコン、  １４・・ＰＣアイコン、  １５〜１８・・描画結線、  １９・・ネットワークアイコン、  ２１ａ〜２１ｃ・・自動ＩＰアドレス割り当て対象アイコン、  ３１・・自動ＩＰアドレス割り当て対象機器設定列、  ４１〜４３・・データ転送状態強調表示対象アイコン、  ４４、４５・・データ転送状態強調表示非対象アイコン、  ４６・・ネットワークトラフィック描画矢印、
１０１〜１０３・・ネットワーク端末機器、  １０４・・監理ＰＣ、  １０５・・ネットワーク網、  １１１〜１１３・・ネットワーク端末機器の各種設定情報、
【図１】
2010028604.tif 000003
【図２】
2010028604.tif 000004
【図３】
2010028604.tif 000005
【図４】
2010028604.tif 000006
【図５】
2010028604.tif 000007
【図６】
2010028604.tif 000008
【図７】
2010028604.tif 000009
【図８】
2010028604.tif 000010